(57)【特許請求の範囲】
【請求項１】
所定のパネル部材に対し、その取付け孔に挿入することで結合することが可能なアンカーと、アンカーの基部側に位置してパネル部材の表面に押付けることが可能な皿部と、皿部とパネル部材の表面との間で止水機能を果たすことが可能なシール体とを備えた防水クリップであって、
アンカーおよび皿部からなるクリップ本体に対し、シール体が多色成形によって一体化されているとともに、このシール体が、そのベース部から上方へ延びてパネル部材の表面に密着するリップ部を備え、このリップ部が、その先端部を皿部の中心に向けて湾曲させた形状に設定され、かつ、皿部の外周よりも内側に収められており、シール体のベース部が皿部の上下両側に位置し、これらがクリップ本体に開けられた複数個の貫通孔を通じて連続している防水クリップ。
【発明の詳細な説明】
【技術分野】
【０００１】
本発明は、主として車両ボデー等のパネル部材に予め開けられている取付け孔にアンカーを挿入することによってパネル部材に結合されるとともに、その結合状態においてパネル部材の取付け孔の周囲をシール体によって止水する構成の防水クリップに関する。
【背景技術】
【０００２】
この種の防水クリップについては、例えば特許文献１に開示された技術が既に知られている。この技術では、アンカーを備えた剛性の高い樹脂材からなるクリップ本体に対し、柔軟な樹脂材からなるシール体が一体に成形されている。このシール体は、クリップ本体の基板の外周部において一体化され、かつアンカーの周囲を囲む皿形状のリップ部を備えている。この皿形状のリップ部が、パネル部材に対する防水クリップの結合状態においてパネル部材の表面に密着することで、取付け孔の周囲を止水する。
【先行技術文献】
【特許文献】
【０００３】
【特許文献１】特開２００５−９６６８号公報
【発明の概要】
【発明が解決しようとする課題】
【０００４】
特許文献１に開示されている防水クリップのように、柔軟な樹脂材からなるシール体がクリップ本体の基板外周に位置した構成では、シール体のリップ部が外力を受けやすい状態になっている。このため、防水クリップの梱包時、あるいはパネル部材の取付け孔にアンカーを手探りで挿入するような作業時に、シール体のリップ部が変形すると、シール体による止水性能が損なわれる。
【０００５】
本発明は、このような課題を解決しようとするもので、その目的は、シール体のリップ部が変形するのを防止し、シール体の止水性能を保持することである。
【課題を解決するための手段】
【０００６】
本発明は、上記の目的を達成するためのもので、以下のように構成されている。
所定のパネル部材に対し、その取付け孔に挿入することで結合することが可能なアンカーと、アンカーの基部側に位置してパネル部材の表面に押付けることが可能な皿部と、皿部とパネル部材の表面との間で止水機能を果たすことが可能なシール体とを備えた防水クリップであって、アンカーおよび皿部からなるクリップ本体に対し、シール体が多色成形によって一体化されているとともに、このシール体が、そのベース部から上方へ延びてパネル部材の表面に密着するリップ部を備えている。そして、このリップ部が、その先端部を皿部の中心に向けて湾曲させた形状に設定され、かつ、皿部の外周よりも内側に収められている。また、シール体のベース部が皿部の上下両側に位置し、これらがクリップ本体に開けられた複数個の貫通孔を通じて連続している。
【発明の効果】
【０００８】
本発明においては、クリップ本体に対して多色成形されているシール体の少なくともリップ部が、クリップ本体における皿部の外周よりも内側に収められていることから、シール体のリップ部はクリップ本体の皿部で常に保護されている。このため、防水クリップの梱包時やパネル部材に対する結合作業時にシール体のリップ部が変形するのを防止し、シール体の止水性能を保持することができる。
【０００９】
また、シール体のリップ部が、その先端部を皿部の中心に向けた湾曲形状に設定されていることにより、リップ部に万一変形を生じさせるような事態が生じても、シール体が皿部の外方へめくれるように変形するのを抑えることができる。
【図面の簡単な説明】
【００１０】
【図１】防水クリップの外観を表した斜視図。
【図２】防水クリップの外観を表した平面図。
【図３】防水クリップの外観を表した正面図。
【図４】図３のＡ−Ａ矢視方向の断面図。
【図５】防水クリップの一部を表した縦断面図。
【図６】図５の一部を拡大して表した断面図。
【発明を実施するための形態】
【００１１】
以下、本発明を実施するための形態を、図面を用いて説明する。
図面に示されている防水クリップは、車両に配線されるワイヤハーネスをボデー等のパネル部材（図示省略）に留めるために使用されるタイプが例示されている。この防水クリップは、クリップ本体１０とシール体３０とによって構成されている。クリップ本体１０は、比較的剛性の高いポリアセタール（P0M）等の樹脂材による一体成形品であり、シール体３０は止水性に優れたエラストマー（TPE）等の柔軟な樹脂材で成形されている。そして、クリップ本体１０とシール体３０とは、後述のように２色成形（多色成形）によって相互に一体化されている。
【００１２】
クリップ本体１０は、アンカー１２、皿部１６およびテープ巻き部２２に大別される。アンカー１２は、クリップ本体１０の基板ともいえる基部１４の上面から突出した角筒形状の支柱１２ａと、この支柱１２ａの両側から張り出した一対の弾性爪１２ｂとを備えている。アンカー１２をパネル部材に開けられた所定の取付け孔に挿入することにより、両弾性爪１２ｂが支柱１２ａに対して軸心方向へ撓みながら取付け孔の中に入り込み、かつ取付け孔の縁に弾性によって係合するのは周知のとおりである。これによってクリップ本体１０（防水クリップ）がパネル部材側に結合される。
【００１３】
クリップ本体１０の皿部１６は、アンカー１２の基部１４の外周から斜め外方へ張り出した円形皿状をしている。クリップ本体１０がパネル部材側に結合された状態において、皿部１６の外周部がパネル部材の表面に押付けられ、クリップ本体１０の取付け姿勢を安定させる等の機能を果たす。
【００１４】
クリップ本体１０のテープ巻き部２２は、基部１４の下面側に位置し、小径の頸部２０を介して該基部１４に結合されている。テープ巻き部２２は、頸部２０から両方向へ延びた板形状をしており、このテープ巻き部２２にワイヤハーネスを添わせて共にテープで巻き付けることにより、クリップ本体１０とワイヤハーネスとが結合される。なお、基部１４の下面には、頸部２０から基部１４の外周方向へ延びる複数個（４個）の補強リブ１５が設けられている（図４）。
【００１５】
シール体３０は、クリップ本体１０の基部１４に対して多色成形によって一体化されている。このシール体３０は、アンカー１２の軸心を中心とした環状に設定されているとともに、その構成はベース部３２とリップ部３４とからなっている。前述のようにクリップ本体１０がパネル部材側に結合された状態においては、TPE等の柔軟な樹脂材で成形されたシール体３０のリップ部３４がパネル部材の表面に密着し、アンカー１２が挿入されている取付け孔周辺の止水機能を果たす。
【００１６】
シール体３０のベース部３２は、基部１４の上面と、皿部１６の下側における基部１４の外周面とにわたって連続している（図５および図６）。すなわち、基部１４には、図４で示す周方向の４箇所において上下に貫通した貫通孔１８が開けられており、ベース部３２はこれらの貫通孔１８を通じて皿部１６の上下で連続している。
【００１７】
シール体３０のリップ部３４は、基部１４の上面側に位置するベース部３２から上方へ延びており、かつその先端部がアンカー１２の軸心（皿部１６の中心）に向かって湾曲している。そして、リップ部３４は、ベース部３２も含めて皿部１６の外周よりも内側に収まっている。
シール体３０は、前述のようにP0M等の樹脂材によって一次成形されたクリップ本体１０を基材とし、TPE等の樹脂材によって二次成形される。なお、二次成形にあたっては、各貫通孔１８の箇所において基部１４の下面側からTPE等の溶融樹脂材を射出することで効率よく成形できるとともに、クリップ本体１０に対してシール体３０が適正に一体化される。
【００１８】
上記のように構成された防水クリップにおいては、柔軟な樹脂材からなるシール体３０のリップ部３４が、比較的剛性の高い樹脂材からなる皿部１６の外周よりも内側に収められていることから、この皿部１６によってリップ部３４は常に保護されている。したがって、防水クリップの梱包時やパネル部材に対する結合作業時においてリップ部３４が変形するのを防止することができる。また、リップ部３４の先端部を内向きに湾曲させた形状にしたことで、シール体３０が皿部１６の外方へめくれるように変形するのを抑えることができる。
【００１９】
さらに、クリップ本体１０の基部１４とテープ巻き部２２とを小径の頸部２０によって結合したことにより、ワイヤハーネスからテープ巻き部２２に作用する外力が頸部２０によって緩衝され、外力が基部１４側にまで伝わることが抑制される。このため、シール体３０による止水性能が外力によって変化するといった事態を解消できる。
【００２０】
なお、図面で示すシール体３０のリップ部３４は、その先端部を内向きに湾曲させた形状に設定されているが、例えばＶ字リップにおける内側のリップ部のように先端部を内向きに傾斜させたリップ形状であってもよい。
【符号の説明】
【００２１】
１０   クリップ本体
１２   アンカー
１４   基部
１６   皿部
３０   シール体
３４   リップ部
【図１】
0005650552.tif 000002
【図２】
0005650552.tif 000003
【図３】
0005650552.tif 000004
【図４】
0005650552.tif 000005
【図５】
0005650552.tif 000006
【図６】
0005650552.tif 000007